【手続補正書】
【提出日】平成31年1月11日(2019.1.11)
【手続補正１】
【補正対象書類名】明細書
【補正対象項目名】０００７
【補正方法】変更
【補正の内容】
【０００７】
以上の課題を解決するため、請求項１に記載の発明の地図表示装置は、
第１のエリアに対応付けられた第１表示態様の第１地図情報と、第２のエリアに対応付けられた第２表示態様の第２地図情報とを有する所定の地図情報群を表示する表示手段と、
現在位置情報を取得する位置情報取得手段と、
前記現在位置情報が示す現在位置が第１のエリア及び第２のエリアのいずれに含まれるかを決定する決定手段と、
前記現在位置情報が示す現在位置が前記第１のエリアに位置すると決定された際は、ユーザを目的地へ誘導することなく、前記第１のエリアに対応する第１表示態様の第１地図情報を前記表示手段に表示させ、前記現在位置が前記第２のエリアに位置すると決定された際は、ユーザを目的地へ誘導することなく、前記第２のエリアに対応する第２表示態様の第２地図情報を前記表示手段に表示させる表示制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
第１のエリアに対応付けられた第１表示態様の第１地図情報と、第２のエリアに対応付けられた第２表示態様の第２地図情報とを有する所定の地図情報群を表示する表示手段と、
現在位置情報を取得する位置情報取得手段と、
前記現在位置情報が示す現在位置が第１のエリア及び第２のエリアのいずれに含まれるかを決定する決定手段と、
前記現在位置情報が示す現在位置が前記第１のエリアに位置すると決定された際は、ユーザを目的地へ誘導することなく、前記第１のエリアに対応する第１表示態様の第１地図情報を前記表示手段に表示させ、前記現在位置が前記第２のエリアに位置すると決定された際は、ユーザを目的地へ誘導することなく、前記第２のエリアに対応する第２表示態様の第２地図情報を前記表示手段に表示させる表示制御手段と、
を備えることを特徴とする地図表示装置。
【請求項２】
前記表示制御手段は、前記現在位置が前記第１のエリアに位置する際は、前記第１のエリアに対応する第１表示態様の第１地図情報を前記表示手段に表示させ、前記現在位置が前記第２のエリアに位置する際は、前記第１のエリアに対応する第１表示態様の第１地図情報から縮尺を変更することなく、前記第２のエリアに対応する第２表示態様の第２地図情報を前記表示手段に表示させることを特徴とする請求項１に記載の地図表示装置。
【請求項３】
前記現在位置が前記第１のエリアから前記第２のエリアに移動したか否かを判定する判定手段を備え、
前記表示手段は、複数のエリアに対応付けられた表示態様の異なる複数の地図情報のうちいずれか一つを表示し、
前記表示制御手段は、前記判定手段により前記現在位置が前記第１のエリアから前記第２のエリアに移動したと判定されると、前記表示手段に表示される地図情報を、前記現在位置が位置する前記第２のエリアに対応する第２表示態様の第２地図情報に切り替えることを特徴とする請求項１に記載の地図表示装置。
【請求項４】
前記表示制御手段は、さらに前記現在位置が前記第１のエリアから前記第２のエリアに移動したか否かの条件とは異なる追加条件に基づいて、前記表示手段に表示される地図情報を、前記現在位置が位置する前記第２のエリアに対応する第２表示態様の第２地図情報に切り替えることを特徴とする請求項３に記載の地図表示装置。
【請求項５】
前記追加条件は、時刻情報、ユーザにより入力された情報、又は解析手段により解析されたユーザの行動情報であることを特徴とする請求項４に記載の地図表示装置。
【請求項６】
前記表示制御手段は、前記現在位置が前記第１のエリアに位置する際は、ユーザを目的地へ誘導することなく、前記第１のエリアに対応する第１表示態様の第１地図情報を前記表示手段に表示させ、前記現在位置が前記第２のエリアに位置する際は、ユーザを目的地へ誘導することなく、前記第２のエリアに対応する第２表示態様の第２地図情報を前記表示手段に表示させるという自動切り替えモードと、前記第１のエリアに対応する第１表示態様の第１地図情報の表示と前記第２のエリアに対応する第２表示態様の第２地図情報の表示とをユーザによる手動操作で切り替えるモードと、を有することを特徴とする請求項１に記載の地図表示装置。
【請求項７】
前記表示手段は、前記第１のエリアに対応付けられた第１表示態様の第１地図情報と、前記第２のエリアに対応付けられた第２表示態様の第２地図情報とを連結させた複合地図情報を表示し、
前記表示制御手段は、前記複合地図情報を前記表示手段に表示させることを特徴とする請求項１に記載の地図表示装置。
【請求項８】
所定の条件に基づいて、エリアごとに地図情報の表示態様を決定し、前記複合地図情報を生成する複合地図情報生成手段を備えることを特徴とする請求項７に記載の地図表示装置。
【請求項９】
前記所定の条件は、時刻情報又はユーザにより入力された情報であることを特徴とする請求項８に記載の地図表示装置。
【請求項１０】
コンピュータを、
第１のエリアに対応付けられた第１表示態様の第１地図情報と、第２のエリアに対応付けられた第２表示態様の第２地図情報とを有する所定の地図情報群を表示する表示手段、
現在位置情報を取得する位置情報取得手段、
前記現在位置情報が示す現在位置が第１のエリア及び第２のエリアのいずれに含まれるかを決定する決定手段、
前記現在位置情報が示す現在位置が前記第１のエリアに位置すると決定された際は、ユーザを目的地へ誘導することなく、前記第１のエリアに対応する第１表示態様の第１地図情報を前記表示手段に表示させ、前記現在位置が前記第２のエリアに位置すると決定された際は、ユーザを目的地へ誘導することなく、前記第２のエリアに対応する第２表示態様の第２地図情報を前記表示手段に表示させる表示制御手段、
として機能させるためのプログラム。
【請求項１１】
現在位置情報を取得する工程と、
前記現在位置情報が示す現在位置が第１のエリア及び第２のエリアのいずれに含まれるかを決定する工程と、
前記現在位置情報が示す現在位置が前記第１のエリアに位置すると決定された際は、ユーザを目的地へ誘導することなく、前記第１のエリアに対応する第１表示態様の第１地図情報を表示手段に表示させ、前記現在位置が前記第２のエリアに位置すると決定された際は、ユーザを目的地へ誘導することなく、前記第２のエリアに対応する第２表示態様の第２地図情報を前記表示手段に表示させる工程と、
を有することを特徴とする地図表示方法。
【請求項１２】
前記表示させる工程は、前記現在位置が前記第１のエリアに位置する際は、前記第１のエリアに対応する第１表示態様の第１地図情報を前記表示手段に表示させ、前記現在位置が前記第２のエリアに位置する際は、前記第１のエリアに対応する第１表示態様の第１地図情報から縮尺を変更することなく、前記第２のエリアに対応する第２表示態様の第２地図情報を前記表示手段に表示させることを特徴とする請求項１１に記載の地図表示方法。
【請求項１３】
前記現在位置が前記第１のエリアから前記第２のエリアに移動したか否かを判定する工程を有し、
前記表示手段は、複数のエリアに対応付けられた表示態様の異なる複数の地図情報のうちいずれか一つを表示し、
前記表示させる工程は、前記現在位置が前記第１のエリアから前記第２のエリアに移動したと判定されると、前記表示手段に表示される地図情報を、前記現在位置が位置する前記第２のエリアに対応する第２表示態様の第２地図情報に切り替えることを特徴とする請求項１１に記載の地図表示方法。
【請求項１４】
前記表示させる工程は、さらに前記現在位置が前記第１のエリアから前記第２のエリアに移動したか否かの条件とは異なる追加条件に基づいて、前記表示手段に表示される地図情報を、前記現在位置が位置する前記第２のエリアに対応する第２表示態様の第２地図情報に切り替えることを特徴とする請求項１３に記載の地図表示方法。
【請求項１５】
前記追加条件は、時刻情報、ユーザにより入力された情報、又は解析手段により解析されたユーザの行動情報であることを特徴とする請求項１４に記載の地図表示方法。
【請求項１６】
前記表示させる工程は、前記現在位置が前記第１のエリアに位置する際は、ユーザを目的地へ誘導することなく、前記第１のエリアに対応する第１表示態様の第１地図情報を前記表示手段に表示させ、前記現在位置が前記第２のエリアに位置する際は、ユーザを目的地へ誘導することなく、前記第２のエリアに対応する第２表示態様の第２地図情報を前記表示手段に表示させるという自動切り替えモードと、前記第１のエリアに対応する第１表示態様の第１地図情報の表示と前記第２のエリアに対応する第２表示態様の第２地図情報の表示とをユーザによる手動操作で切り替えるモードと、を有することを特徴とする請求項１１に記載の地図表示方法。
【請求項１７】
前記表示手段は、前記第１のエリアに対応付けられた第１表示態様の第１地図情報と、前記第２のエリアに対応付けられた第２表示態様の第２地図情報とを連結させた複合地図情報を表示し、
前記表示させる工程は、前記複合地図情報を前記表示手段に表示させることを特徴とする請求項１１に記載の地図表示方法。
【請求項１８】
所定の条件に基づいて、エリアごとに地図情報の表示態様を決定し、前記複合地図情報を生成する工程を有することを特徴とする請求項１７に記載の地図表示方法。
【請求項１９】
前記所定の条件は、時刻情報又はユーザにより入力された情報であることを特徴とする請求項１８に記載の地図表示方法。